(57)【要約】【課題】  電動操作部および手動操作部を兼ね備え、水が流入することによって駆動部の故障や誤作動を生じさせることのない遠隔操作式排水栓装置を提供することを目的とする。【解決手段】  遠隔操作式排水栓装置上方に位置し、手動による遠隔操作の入力を受け付ける手動スイッチ１１と、電気信号による遠隔操作の入力に基づいて動作指示を出力する電動操作部基板１４と、手動スイッチ１１の操作および電動操作部基板１４からの動作指示のいずれかにより昇降するスイッチ軸１２と、弁体５２を昇降させるワイヤ２１へスイッチ軸１２の昇降を伝達する駆動部１８と、遠隔操作式排水栓装置内に流れ込んだ水が駆動部１８へ流入するのを防ぐ上方止水部１３と、遠隔操作式排水栓装置内に流れ込んだ水を通水させる通水部１５とを備える。【選択図】図２
2018178459.tif 000002
【特許請求の範囲】
【請求項１】
槽体底部の排水口を弁体の昇降で開閉させ、前記弁体の昇降について手動による遠隔操作と電気信号による遠隔操作とを兼用する遠隔操作式排水栓装置であって、
遠隔操作式排水栓装置上方に位置し、手動による遠隔操作の入力を受け付ける手動操作部と、
電気信号による遠隔操作の入力に基づいて動作指示を出力する電動操作指示部と、
手動操作部の操作および電動操作指示部からの動作指示のいずれかにより昇降するスイッチ軸と、
前記弁体を昇降させるワイヤへスイッチ軸の昇降を伝達する駆動部と、
遠隔操作式排水栓装置内に流れ込んだ水が前記駆動部へ流入するのを防ぐ止水部と、
遠隔操作式排水栓装置内に流れ込んだ水を通水させる通水部とを備える
ことを特徴とする遠隔操作式排水栓装置。
【請求項２】
前記駆動部は、側面に着脱自在の蓋部を備える
ことを特徴とする請求項１記載の遠隔操作式排水栓装置。
【請求項３】
前記駆動部は、
前記電動操作指示部の動作指示に基づいて作動するモーターと、
前記モーターを収納するモーター収納部と、
前記モーターの回転運動をスイッチ軸の昇降運動に変換させるギア部と、
前記モーター収納部へ水が流入するのを防ぐ二重止水部とを備える
ことを特徴とする請求項１又は２記載の遠隔操作式排水栓装置。
【請求項４】
前記モーター収納部は、前記二重止水部と対向する面に着脱自在の蓋部を備える
ことを特徴とする請求項３記載の遠隔操作式排水栓装置。
【請求項５】
前記駆動部は、前記モーター収納部の蓋部と対向する面に、前記通水部と前記駆動部とを同時に密閉する着脱自在の蓋部を備える
ことを特徴とする請求項４記載の遠隔操作式排水栓装置。
【発明の詳細な説明】
【技術分野】
【０００１】
本発明は、洗面台や浴槽等の槽体の排水口を、遠隔的に開閉操作する遠隔操作式排水栓装置に関するものである。
【背景技術】
【０００２】
洗面台や浴槽などの槽体の排水口を、排水口に直接手を触れることなく、槽体の近傍に設けられた操作部に操作を加えることで遠隔的に開閉操作する遠隔操作式排水栓装置が知られている。電動操作部からの電気信号に基づいてモーターを駆動し、弁体を昇降させて排水口を開閉するものも知られている。浴槽排水口を例に挙げれば、電動操作部を浴室外（例えば、台所）に設置し、浴槽の上縁に手動操作を受け付ける手動操作部を設置して、電動および手動の両操作部を兼ね備えた排水装置が開示されている（例えば、特許文献１参照。）。
【先行技術文献】
【特許文献】
【０００３】
【特許文献１】特開２０００−７３４２６号公報
【発明の概要】
【発明が解決しようとする課題】
【０００４】
しかしながら、上記特許文献１の排水装置では、手動操作部の下方に駆動部が位置しているため、手動操作部から水が流入して駆動部の故障を招いてしまうという問題がある。手動操作部からに限らず、わずかでも駆動部内に水が流入することは好ましくない。故障までには至らなくても、排水中のゴミやヌメリ、水の表面張力などによって駆動部の誤作動が発生するおそれがあるからである。
【０００５】
また、駆動部内の点検やメンテナンスを行うためには、すべての部品を分解して行う必要があり、水の流入により故障や誤作動が頻発すれば手間や労力を要するという問題もある。
【０００６】
そこで、本発明は、このような問題に鑑みなされたものであり、電動操作部および手動操作部を兼ね備える遠隔操作式排水栓装置において、水が流入することによって駆動部の故障や誤作動を生じさせることのない遠隔操作式排水栓装置を提供することを目的とする。また、駆動部内の点検やメンテナンスを容易に行うことができる遠隔操作式排水栓装置を提供することをも目的とする。
【課題を解決するための手段】
【０００７】
上記の課題を解決するため、本発明に係る遠隔操作式排水栓装置は、槽体底部の排水口を弁体の昇降で開閉させ、前記弁体の昇降について手動による遠隔操作と電気信号による遠隔操作とを兼用する遠隔操作式排水栓装置であって、遠隔操作式排水栓装置上方に位置し、手動による遠隔操作の入力を受け付ける手動操作部と、電気信号による遠隔操作の入力に基づいて動作指示を出力する電動操作指示部と、手動操作部の操作および電動操作指示部からの動作指示のいずれかにより昇降するスイッチ軸と、前記弁体を昇降させるワイヤへスイッチ軸の昇降を伝達する駆動部と、遠隔操作式排水栓装置内に流れ込んだ水が前記駆動部へ流入するのを防ぐ止水部と、遠隔操作式排水栓装置内に流れ込んだ水を通水させる通水部とを備えることを特徴とする。
【０００８】
これにより、通水区画となる通水部と分離して駆動部を防水区画とするので、流入する水によって駆動部の故障や誤作動を生じさせることのない遠隔操作式排水栓装置が実現可能となる。
【０００９】
ここで、前記駆動部は、側面に着脱自在の蓋部を備えるのが好ましい。
【００１０】
これにより、駆動部内の点検やメンテナンスを容易ならしめることができる。
【００１１】
また、前記駆動部は、前記電動操作指示部の動作指示に基づいて作動するモーターと、前記モーターを収納するモーター収納部と、前記モーターの回転運動をスイッチ軸の昇降運動に変換させるギア部と、前記モーター収納部へ水が流入するのを防ぐ二重止水部とを備えるのが好ましい。
【００１２】
これによれば、駆動部の故障や誤作動を招きやすい通電部材を二重の防水区画に配置するので、故障や誤作動の発生をより低減させることができる。
【００１３】
さらに、前記モーター収納部は、前記二重止水部と対向する面に着脱自在の蓋部を備えるとしてもよい。
【００１４】
これにより、通電部材が配置されている箇所の点検やメンテナンスを容易に行うことができる。
【００１５】
また、前記駆動部は、前記モーター収納部の蓋部と対向する面に、前記通水部と前記駆動部とを同時に密閉する着脱自在の蓋部を備えるとしてもよい。
【００１６】
これにより、通水部の清掃や点検と、駆動部の点検やメンテナンスを同時に行うことができる。
【発明の効果】
【００１７】
以上のように、本発明に係る遠隔操作式排水栓装置によれば、通水区画となる通水部と分離した防水区画に駆動部を配置しているので、流入する水により駆動部の故障や誤作動を生じさせることがない。
【図面の簡単な説明】
【００１８】
【図１】遠隔操作式排水栓装置の平面図である。
【図２】図１のＡ−Ａ線断面図である。
【図３】図１のＢ−Ｂ線断面を示す斜視図である。
【図４】図１のＣ−Ｃ線断面図である。
【図５】図２のＤ−Ｄ線断面図である。
【図６】駆動部側蓋部の背面図である。
【発明を実施するための形態】
【００１９】
以下、本発明に係る遠隔操作式排水栓装置について図を参照しながら説明する。
【００２０】
図１は遠隔操作式排水栓装置の平面図であり、図２はＡ−Ａ線断面を示す図である。図３はＢ−Ｂ線断面を示す斜視図であり、図４はＣ−Ｃ線断面を示す図である。図５は、図２のＤ−Ｄ線断面を示す図である。
【００２１】
本実施形態に係る遠隔操作式排水栓装置１は、洗面台や浴槽等の槽体の排水口を、遠隔的に開閉操作する装置であり、槽体５０の底部の排水口５１内に設けられた弁体５２と、弁体５２に接続され内部のインナーワイヤーの進退により弁体５２を昇降させるワイヤ２１と、手動操作および電動操作のいずれかの操作入力により昇降するスイッチ軸１２の動きをワイヤ２１へ伝達する駆動部１８とを備えている。
【００２２】
手動スイッチ１１は、手動による遠隔操作の入力を受け付け、手動操作の入力によりスイッチ軸１２を昇降させる。手動操作部である手動スイッチ１１は、遠隔操作式排水栓装置１の上面に配置され、槽体５０が浴槽の場合は、浴槽の上縁に配置される。以下では、槽体５０が浴槽の場合を例に挙げて説明する。
【００２３】
スイッチ軸１２は、手動スイッチ１１の操作により昇降し、また、電動操作によっても昇降する軸部材であり、その昇降の動きが駆動部１８を介してワイヤ２１へ伝達される。
【００２４】
上方止水部１３は、手動スイッチ１１からの水が駆動部１８内へ流入しないようにするためのパッキン等の止水部材である。上方止水部１３は、駆動部１８の上端（手動スイッチ１１側）のスイッチ軸１２を周方向に被覆して水密性を維持し、スイッチ軸１２を伝って駆動部１８内に水が流入することを防いでいる。
【００２５】
電動操作部基板１４は、電気回路が搭載された基板であり、入力された電動操作に基づいて動作の指示を出力する電動操作指示部である。すなわち、電動操作部基板１４は浴室外（例えば、台所）に設置された電動操作部からの操作入力に基づいてモーター２３を起動させる。電動操作部基板１４およびモーター２３はモーター収納部２０に格納されており、ラックとピニオンギアのギア部１６によってスイッチ軸１２を昇降させる動力が駆動部１８へ伝達される。
【００２６】
通水部１５は、駆動部１８の外郭となり、手動スイッチ１１からの水を下方へ通水させるための空隙部分である。この通水部１５が駆動部１８の外側の通水区画となり、駆動部１８は通水区画と区分けされた防水区画となる。つまり、駆動部１８の内側は、上方止水部１３を含む止水部によって水の流入が防がれている区画（防水区画）となり、止水部の外側は通水区画となるので、駆動部１８の内部へ手動スイッチ１１からの水が流入することがなくなる。
【００２７】
通水部１５および駆動部１８の側面、すなわち、モーター収納部２０の反対側は開口されており、着脱自在の駆動部側蓋部２４により密閉される。このように、通水部１５および駆動部１８のうち、電動機器側の反対側面を開口し、通水部１５および駆動部１８を同時に密閉する駆動部側蓋部２４を設けることで、通水部１５および駆動部１８内部の清掃や点検、メンテナンスを容易に行うことを可能にしている。
【００２８】
図６は、駆動部側蓋部２４の背面図である。駆動部側蓋部２４は、駆動部１８を密閉する蓋と通水部１５を密閉する蓋とが段差をつけて一体化されている。段差の内側の部分には駆動部１８への水の流入を防止するためのパッキン等の止水部材として駆動部側止水部２５が設けられている。段差の外側の部分には通水部１５から水が装置外へ漏れ出さないようにするためのパッキン等の止水部材として通水部止水部２６が設けられている。このように、駆動部側蓋部２４は、段差をつけて内側に駆動部１８への水の流入を防ぐ駆動部側止水部２５を備え、外側に通水部１５から装置外への水の流出を防ぐ通水部止水部２６を備えることで、通水部１５と駆動部１８とを同時に密閉している。
【００２９】
駆動部１８は、手動操作および電動操作のいずれかの操作入力により昇降するスイッチ軸１２の動きをワイヤ２１へ伝達する。この駆動部１８の上方は上方止水部１３により止水されている。駆動部１８の下方は、駆動部１８の下端（ワイヤ２１側）に配置されるパッキン等の止水部材である下方止水部１９によって止水されている。下方止水部１９は、弁体５２側（ワイヤ２１やワイヤ２１を収容し駆動部１８側と排水口５１側とをつなぐホース）からの逆流水が駆動部１８内へ流入することを防いでいる。通水区画である通水部１５と区画分けがされて防水区画となっている駆動部１８と同じ空間内にモーター２３からの動力をスイッチ軸１２へ伝達するギア部１６も配置されている。この駆動部１８は、さらに、ギア部１６が配置されている空間とモーター収納部２０との間を隔てる壁（隔壁）が形成されており、モーター収納部２０が二重の防水区画とされている。ギア部１６のピニオンギアの回転軸だけがこの隔壁を貫通し、この回転軸周りにパッキン等の止水部材が設けられている。
【００３０】
この隔壁と止水部材とで構成されるのがモーター側止水部１７である。このモーター側止水部１７が二重止水部として機能することにより、電動操作部基板１４やモーター２３が収納されるモーター収納部２０を二重の防水区画とし、駆動部１８の故障や誤作動を招きやすい通電箇所への水の流入を防ぐことができる。
【００３１】
モーター収納部２０のうち、ギア部１６が配置されている空間とモーター収納部２０との間の壁と対向する面は開口されて、これを密閉するための着脱自在のモーター側蓋部２２が設けられており、モーター収納部２０内部の清掃や点検、メンテナンスを容易に行うことが可能となっている。モーター側蓋部２２が設けられている面は、通水部１５と反対側に位置する面であるから水が流入することは考えにくい。しかしながら、モーター収納部２０の完全防水を図るうえでモーター側蓋部２２もパッキン等の止水部材を備えておくのが好ましい。
【００３２】
このように構成された遠隔操作式排水栓装置１は、通水区画となる通水部１５と分離された防水区画に駆動部１８を配置しているので、水が駆動部１８内に流入して駆動部１８の故障や誤作動を招くことを防止することができる。さらに、駆動部内１８にモーター側止水部１７を設けて、モーター収納部２０を二重防水の区画としているので、駆動部１８の故障や誤作動を招きやすい通電箇所へ水が流入することを極力防ぐことができる。
【００３３】
また、通水部１５および駆動部１８の一方の側面が開口され、これを密閉する駆動部側蓋部２４が設けられているので、通水部１５および駆動部１８内部の清掃や点検、メンテナンスが容易となる。さらに、モーター収納部２０も通水区画と反対側の側面が開口され、これを密閉するモーター側蓋部２２が設けられているので、モーター収納部２０内の清掃、電動操作部基板１４やモーター２３の点検およびメンテナンスが容易となる。このように、駆動部１８の両側を開口し、着脱自在の蓋部を設けることで、全ての部品を分解することなく装置内部を点検等することを可能にしている。また、一方の側面は通水部１５の開口部にもなっているため、駆動部１８の点検等と同時に通水区画の清掃やメンテナンスを実施可能にしている。
【００３４】
以上、本発明に係る遠隔操作式排水栓装置について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３５】
例えば、上記実施の形態では、槽体が浴槽の場合を例に挙げて説明したが、槽体は浴槽に限られるものではなく、洗面台やシンクなどであってもよい。
【００３６】
また、上記実施の形態では、止水部として、上方止水部、下方止水部、および、駆動部側蓋部の駆動部側止水部を説明したが、上記構成のいずれか１つだけ備えるとしてもよく、駆動部内への水の流入を防ぐものであれば、止水位置はこれらに限定されるものではない。
【産業上の利用可能性】
【００３７】
本発明は、洗面台や浴槽等の槽体の排水口を、遠隔的に開閉操作する遠隔操作式排水栓装置として有用であり、特に電動および手動の両操作部を兼ね備えた遠隔操作式排水栓装置に好適である。
【符号の説明】
【００３８】
１    遠隔操作式排水栓装置
１１    手動スイッチ
１２    スイッチ軸
１３    上方止水部
１４    電動操作部基板
１５    通水部
１６    ギア部
１７    モーター側止水部
１８    駆動部
１９    下方止水部
２０    モーター収納部
２１    ワイヤ
２２    モーター側蓋部
２３    モーター
２４    駆動部側蓋部
２５    駆動部側止水部
２６    通水部止水部
５０    槽体
５１    排水口
５２    弁体
【図１】
2018178459.tif 000003
【図２】
2018178459.tif 000004
【図３】
2018178459.tif 000005
【図４】
2018178459.tif 000006
【図５】
2018178459.tif 000007
【図６】
2018178459.tif 000008